(57)【要約】【課題】急峻な負荷変動に対して、事前に必要な出力変更量を予測し、発電機の出力を最適な状態に調節し得る電力系統監視制御装置を提供する。【解決手段】電力系統監視制御装置１ａは、現在の系統情報を取得する系統情報入力手段１１と、出力の移行を行う発電機の抽出における優先順位を定める抽出優先順位を設定する抽出優先順位入力手段１２と、出力移行量の合計値及び出力の移行に要する移行時間を入力する持替量・持替時間入力手段１５と、系統情報、抽出優先順位及び発電機データを入力として出力移行を行う対象発電機と各発電機の移行する出力値を決定する持替対象発電機抽出手段１６と、出力の移行に要する前記移行時間、持替発電機情報及び発電計画値を入力として、出力移行中における対象発電機の出力値を算出する持替制御予定出力値作成手段１８と、出力値を各発電機に送信する制御情報出力手段１９と、を備える。【選択図】図１
2015154643.tif 000002
【特許請求の範囲】
【請求項１】
負荷変動に対して発電機の出力を調節する電力系統監視制御装置であって、
現在の系統情報を取得する系統情報入力手段と、
出力の移行を行う発電機の抽出における優先順位を定める抽出優先順位を設定する抽出優先順位入力手段と、
出力移行量の合計値及び出力の移行に要する移行時間を入力する持替量・持替時間入力手段と、
前記系統情報、前記抽出優先順位及び発電機データを入力として出力移行を行う対象発電機と各発電機の移行する出力値を決定する持替対象発電機抽出手段と、
出力の移行に要する前記移行時間、持替発電機情報及び発電計画値を入力として、出力移行中における対象発電機の出力値を算出する持替制御予定出力値作成手段と、
前記出力値を各発電機に送信する制御情報出力手段と、
を備えたことを特徴とする電力系統監視制御装置。
【請求項２】
前記持替量・持替時間入力手段に代えて、
過去の持替制御実施時における時刻及び系統情報を保持する負荷変動履歴データ格納手段と、
負荷変動履歴データを入力として急峻な負荷変動の発生と負荷変動量を予測する負荷変動予測手段と、
出力移行の実施の要否を判定する負荷変動閾値を設定する持替制御実施条件設定手段と、
前記負荷変動閾値と予測された前記負荷変動量を入力として出力移行の実施の要否を判定し、持替量及び持替時間を決定、出力する持替量・持替時間自動入力手段と、
を設けたことを特徴とする請求項１に記載の電力系統監視制御装置。
【請求項３】
さらに、過去の持替制御実施時における時刻及び系統情報を保持する負荷変動履歴データ格納手段と、
負荷変動履歴データを入力として急峻な負荷変動の発生と負荷変動量を予測する負荷変動予測手段と、
出力移行の実施の要否を判定する負荷変動閾値を設定する持替制御実施条件設定手段と、
前記負荷変動閾値と予測された前記負荷変動量を入力として出力移行の実施の要否を判定し、持替量及び持替時間を決定、出力する持替量・持替時間自動入力手段と、
前記持替量と前記持替時間の入力について、前記持替量・持替時間入力手段を介する入力方法と、前記持替量・持替時間自動入力手段を介する入力方法を任意に切り替える持替量・持替時間入力方法切替手段と、
を備えたことを特徴とする請求項１に記載の電力系統監視制御装置。
【請求項４】
前記抽出優先順位入力手段に代えて、系統情報及び発電機データを入力として、現在系統状態を考慮した最適な発電機の抽出優先順位を決定する最適抽出順位計算手段を設けたことを特徴とする請求項１に記載の電力系統監視制御装置。
【請求項５】
さらに、系統情報及び発電機データを入力として、現在系統状態を考慮した最適な発電機の抽出優先順位を決定する最適抽出順位計算手段と、
前記出力移行を実施する発電機の抽出処理において前記抽出優先順位入力手段により定められた優先順位と、前記最適抽出順位計算手段にて決定した優先順位を任意に切り替える抽出優先順位切替手段と、
を備えたことを特徴とする請求項１に記載の電力系統監視制御装置。
【発明の詳細な説明】
【技術分野】
【０００１】
本発明の実施形態は、急峻な負荷変動に対して、事前に必要な出力変更量を予測し、発電機の出力を最適な状態に調節し得る電力系統監視制御装置に関する。
【背景技術】
【０００２】
従来、系統容量の数％を占める大口需要家の負荷変動のような急峻な負荷変動に対しては、出力を高速に変化させることが可能な発電機（以後、「高速発電機」と記す）の出力調整によって電力の安定供給を実現してきた。しかし、東日本大震災以後、各電力会社の電源構成に大きな変化があり、各社とも余力の無い供給力で運用することを強いられており、前述の対応をとることが困難となっている。
【０００３】
また、二酸化炭素排出量や経済性を考慮した発電機の自動制御方法は確立されているが（例えば、特許文献１、２参照）、発電機の負荷追従性については考慮されてこなかった。
【先行技術文献】
【特許文献】
【０００４】
【特許文献１】特開２０１１−３５９５２号公報
【特許文献２】特開２０１０−１８３７６０号公報
【発明の概要】
【発明が解決しようとする課題】
【０００５】
経済運転をしている通常時は、燃料費が安く、負荷追従性の良い高速火力機は定格出力付近を運転点としている。このため、急峻な負荷変動があった場合、出力増加が可能な発電機は、燃料費が高く、通常時は低出力としている負荷追従性の悪い低速火力機に限られる。よって、ある負荷上昇に対して発電機全体の供給力から見ると対応可能な状況であっても、負荷の単位時間当たり上昇速度が、出力増加が可能な発電機の単位時間当たりに変化させることの出来る出力値（以後、「出力変化速度」とも記す）を超えている場合は、負荷変動に追従できず供給支障が発生する。
【０００６】
本発明の実施形態は、前記事情に鑑みてなされたものであり、急峻な負荷変動に対して、事前に必要な出力変更量を予測し、発電機の出力を最適な状態に調節し得る電力系統監視制御装置を提供することを目的とする。
【課題を解決するための手段】
【０００７】
上述の目的を達成するため、本発明の実施形態は、負荷変動に対して発電機の出力を調節する電力系統監視制御装置であって、現在の系統情報を取得する系統情報入力手段と、出力の移行を行う発電機の抽出における優先順位を定める抽出優先順位を設定する抽出優先順位入力手段と、出力移行量の合計値及び出力の移行に要する移行時間を入力する持替量・持替時間入力手段と、前記系統情報、前記抽出優先順位及び発電機データを入力として出力移行を行う対象発電機と各発電機の移行する出力値を決定する持替対象発電機抽出手段と、出力の移行に要する前記移行時間、持替発電機情報及び発電計画値を入力として、出力移行中における対象発電機の出力値を算出する持替制御予定出力値作成手段と、前記出力値を各発電機に送信する制御情報出力手段と、を備えたことを特徴とする。
【図面の簡単な説明】
【０００８】
【図１】本発明の第１の実施の形態に係る電力系統監視制御装置の構成を示すブロック図である。
【図２】図１の電力系統監視制御装置における持替対象発電機抽出手段の処理手順を示すフローチャートである。
【図３】図２のフローチャートにおけるステップＳ１４の詳細な処理手順を示すフローチャートである。
【図４】持替制御実施中における持替対象発電機の出力変化を示すグラフである。
【図５】持替制御実施中における需給バランスの維持を示すグラフである。
【図６】本発明の第２の実施の形態に係る電力系統監視制御装置の構成を示すブロック図である。
【図７】図６の電力系統監視制御装置における持替対象発電機抽出手段の処理手順を示すフローチャートである。
【図８】図６の電力系統監視制御装置における持替量・持替時間自動入力手段の処理手順を示すフローチャートである。
【図９】本発明の第３の実施の形態に係る電力系統監視制御装置の構成を示すブロック図である。
【図１０】本発明の第４の実施の形態に係る電力系統監視制御装置の構成を示すブロック図である。
【図１１】本発明の第５の実施の形態に係る電力系統監視制御装置の構成を示すブロック図である。
【発明を実施するための形態】
【０００９】
以下、本発明の実施形態について、図面を参照して具体的に説明する。
［第１の実施形態］
（構成）
図１は、本発明の第１の実施形態に係る電力系統監視制御装置の構成を示すブロック図である。電力系統監視制御装置１ａは、系統情報入力手段１１、抽出優先順位入力手段１２、上げ持替抽出優先順位格納手段１３、下げ持替抽出優先順位格納手段１４、持替量・持替時間入力手段１５、持替対象発電機抽出手段１６、発電機データ格納手段１７、持替制御予定出力値作成手段１８及び制御情報出力手段１９を備えている。
【００１０】
系統情報入力手段１１は、外部にある情報伝送装置を介し伝送された系統情報を取り込み、現在の発電機出力をはじめとする電力系統の状態を作成する手段であり、電力系統監視制御装置の分野において一般的な構成要素である。また、抽出優先順位入力手段１２は、持替制御の際に出力を上げる（以後、「上げ持替」と記す）低速発電機（以後、「上げ対象発電機」と記す）の抽出優先順位及び持替制御の際に出力を下げる（以後、「下げ持替」と記す）高速発電機（以後、「下げ対象発電機」と記す）の抽出優先順位をメモリに入力する手段である。上げ持替抽出優先順位格納手段１３及び下げ持替抽出優先順位格納手段１４は、抽出優先順位入力手段１２により入力されたデータを格納する手段である。
【００１１】
持替量・持替時間入力手段１５は、持替を行う際、発電機の持替に要する時間（以後、「持替時間」と記す）と高速火力機から低速火力機に移行させる合計出力値（以後、「持替量」と記す）を入力する手段である。持替対象発電機抽出手段１６は、各発電機の定格出力や出力変化速度などの発電機データ、系統情報、抽出優先順位、持替量及び持替時間に基づき、上げ対象発電機及び下げ対象発電機を抽出する手段である。発電機データ格納手段１７は、各発電機の定格出力や出力変化速度などのデータを格納する手段である。
【００１２】
持替制御予定出力値作成手段１８は、発電計画値、持替時間及び持替発電機情報を基に、持替制御中における持替対象発電機の出力値を決定する手段である。制御情報出力手段１９は、外部の情報伝送装置を介して出力値等の発電機出力制御データを持替対象発電機へ送信し、持替制御中の発電機出力の調整を自動で行う手段であり、系統情報入力手段１１と同様に電力系統監視制御装置１ａの分野において一般的な構成要素である。
【００１３】
(作用)
図２は、電力系統監視制御装置１ａにおける持替対象発電機抽出手段１６の処理手順を示すフローチャートである。まず、持替対象発電機抽出手段１６は、系統情報入力手段１１を介して現在発電機出力をはじめとする系統情報を取得する(ステップＳ１１)。次に、持替対象発電機抽出手段１６は、持替量・持替時間入力手段１５より持替量及び持替時間を取得する（ステップＳ１２）。
【００１４】
持替対象発電機抽出手段１６は、発電機データ格納手段１７と持替量・持替時間入力手段１５からの持替時間とを基にして、発電計画値を考慮に入れた持替時間後における各発電機の出力変化可能量を算出し、これを配分上下限値とする（ステップＳ１３）。配分上下限値が設定した閾値より小さい場合、持替対象発電機の候補から除外し、それ以外の発電機を持替対象発電機候補として出力する。
【００１５】
次に、持替対象発電機抽出手段１６は、上げ持替抽出優先順位格納手段１３、下げ持替抽出優先順位格納手段１４及び入力された持替量に従い、持替対象発電機を抽出する（ステップＳ１４）。
【００１６】
図３は、図２のフローチャートにおけるステップＳ１４の詳細な処理手順を示すフローチャートである。
まず、持替対象発電機抽出手段１６は、ステップＳ１２で入力された持替量と、各発電機の配分上下限値及び持替対象発電機候補を基にして、持替可能量を作成する（ステップＳ２１）。ここで、持替可能量とは、上げ持替発電機候補の配分上限値合計値と下げ持替発電機候補の配分下限値合計値の絶対値のうち、小さいほうの値である。次に、持替対象発電機抽出手段１６は、持替可能量と入力された持替量を比較する（ステップＳ２２）。持替量が大きい場合（ステップＳ２２でＹ）、現在系統状態から実際に持替を行うことが可能な持替量として、以降持替可能量を持替量として計算する（ステップＳ２３）。
【００１７】
次いで、持替対象発電機抽出手段１６は、上げ持替抽出優先順位格納手段１３に登録された抽出優先順位に従い、上げ持替対象発電機の配分上限値の合計が持替量を満足できるよう上げ持替対象発電機を抽出すると同時に、抽出された上げ対象発電機の配分量を決定する（ステップＳ２４）。なお、上記ステップＳ２２で、持替量が持替可能量以下の場合（ステップＳ２２でＮ）もステップＳ２４に移行する。
【００１８】
同様に、持替対象発電機抽出手段１６は、下げ持替抽出優先順位格納手段１４に登録された抽出優先順位に従い、下げ持替対象発電機の配分下限値の合計の絶対値が持替量を満足できるよう下げ持替対象発電機を抽出すると同時に、抽出された下げ対象発電機の配分量を決定する（ステップＳ２５）。
【００１９】
さらに、持替対象発電機抽出手段１６は、決定した持替発電機及び持替発電機に割り当てられた配分量を持替発電機情報として出力する（ステップＳ２６）。
【００２０】
次に、持替制御予定出力値作成手段１８は、発電計画値、持替時間及び持替発電機情報を基に、持替制御中における持替対象発電機の出力値を決定し、図１に示す制御情報出力手段１９へ送信する。
【００２１】
制御情報出力手段１９は、外部にある情報伝送装置を介して出力値等の発電機出力制御データを持替対象発電機へ送信し、持替制御中の発電機出力の調整を自動で行う。
【００２２】
（具体例）
表１、表２及び図４、図５に、持替制御中における発電機出力の挙動の簡単な例を挙げる。現在の発電機Ａ〜Ｄの総発電量は２３００ＭＷ、需要予測及び発電計画に基づく５分後の総発電量は１９００ＭＷとする。なお、各発電機は５分間で出力をそれぞれ１００ＭＷ低下することで需給バランスを保つ計画であるとする。ここで、６００ＭＷの持替を５分間で行う持替制御を実行するとする。このとき、上げ対象発電機Ａ，Ｂ，Ｃと下げ対象発電機Ｄの発電計画及び持替制御時における出力の変化は表１のようになる。
【表１】
2015154643.tif 000003
【００２３】
ここで、上げ持替抽出優先順位格納手段１３に登録された順位は、Ａ，Ｂ，Ｃの順であり、かつ各発電機の定格出力値および出力変化速度が表２に示すとおりとする場合、各発電機の発電計画と定格値に基づき配分可能量及び配分量が決定される。
【表２】
2015154643.tif 000004
【００２４】
この持替制御における各発電機の出力変化の概略図を図４に示す。各発電機の発電計画に基づく出力変化はグラフ（ｉ）、（ｉｉ）のようになり、発電計画を加味した各発電機の出力はグラフ（Ａ）〜（Ｄ）のようになる。
【００２５】
ここで、各発電機の出力変化速度を考えると、指定の出力変化に最も時間を要する発電機はＡであり、指定した持替時間の５分を要する。即ち、Ａの場合、表１より実変化量が１５０ＭＷで表２により出力変化速度が３０ＭＷ／分であるから５分掛かるが、Ｂの場合は実変化量が１００ＭＷで出力変化速度が５０ＭＷ／分であるから２分、Ｃの場合は実変化量が５０ＭＷで出力変化速度が２０ＭＷ／分であるから２．５分掛かることになる。Ｂ、Ｃの発電機は、持替制御を行うに十分な出力変化速度を持っていることより、持替制御が発電機Ａと同時に終了するよう変化速度を調整して持替を行う。これにより、図５のように電力の安定供給を保ちつつ、持替を行うことにより急峻な負荷変動に備えることが可能となる。
【００２６】
（効果）
本実施形態の電力系統監視制御装置１ａによれば、急峻な負荷変動が発生しても、事前に必要な出力変更量を予測し、自動で発電機の出力を最適な状態に調節することができる。
【００２７】
また、運用者の熟練度に依らず、入力した持替量に従い電力安定供給を保ちながら出力変化が可能な発電機を抽出し、安定した持替制御が可能となる。
【００２８】
さらに、持替運転中における発電機出力の自動制御により、運用者の負担を軽減することができる。
【００２９】
［第２の実施形態］
（構成）
図６は、本発明の第２の実施形態に係る電力系統監視制御装置の構成を示すブロック図である。なお、第１の実施形態と同一の構成には同一の符号を付し、重複する説明は省略する。
【００３０】
本実施形態の電力系統監視制御装置１ｂは、第１の実施形態の電力系統監視制御装置１ａの持替量・持替時間入力手段１５に代えて、負荷変動予測手段２０、負荷変動履歴データ格納手段２１、持替制御実施条件設定手段２２、持替量・持替時間自動入力手段２３を設けたものである。
【００３１】
負荷変動予測手段２０は、負荷変動履歴データ格納手段２１に保持された過去の持替制御時の系統情報を入力として、急峻な負荷変動の発生、負荷変動量及び負荷変動発生時刻を予測する手段である。持替制御実施条件設定手段２２は、運用者によって設定された持替制御の実施の要否を決定する負荷変動量の閾値を持替量・持替時間自動入力手段２３へ入力する手段である。持替量・持替時間自動入力手段２３は、持替制御の実施の有無を決定する負荷変動量の閾値、予測負荷変動量及び予測負荷変動発生時刻を取得し、これら情報を持替対象発電機抽出手段１６、持替制御予定出力値作成手段１８に出力する手段である。
【００３２】
（作用）
図７は、第２の実施の形態の電力系統監視制御装置１ｂにおける持替対象発電機抽出手段１６の処理手順を示すフローチャートである。まず、持替対象発電機抽出手段１６は、系統情報入力手段１１を介して現在発電機出力をはじめとする系統情報を取得する(ステップＳ１１)。次に、持替対象発電機抽出手段１６は、持替量・持替時間自動入力手段２３より持替量及び持替時間を取得する（ステップＳ１２）。
【００３３】
持替対象発電機抽出手段１６は、発電機データ格納手段１７と持替量・持替時間自動入力手段２３からの持替時間とを基にして、発電計画値を考慮に入れた持替時間後における各発電機の出力変化可能量を算出し、これを配分上下限値とする（ステップＳ１３）。配分上下限値が設定した閾値より小さい場合、持替対象発電機の候補から除外し、それ以外の発電機を持替対象発電機候補として出力する。
【００３４】
次に、持替対象発電機抽出手段１６は、上げ持替抽出優先順位格納手段１３、下げ持替抽出優先順位格納手段１４及び入力された持替量に従い、持替対象発電機を抽出する（ステップＳ１４）。以降、第１の実施形態で説明した処理手順と同様にして処理を行う。
【００３５】
図８は、本実施形態の特徴部分となる持替量・持替時間自動入力手段２３の処理手順を示すフローチャートである。まず、持替量・持替時間自動入力手段２３は、負荷変動予測手段２０から予測される負荷変動量及び予測発生時刻を取得する（ステップＳ３１）。次に、持替量・持替時間自動入力手段２３は、持替制御実施条件設定手段２２から入力された持替制御実施の閾値を取得する（ステップＳ３２）。さらに、持替量・持替時間自動入力手段２３は、予測される負荷変動量（予測負荷変動量）が設定した閾値以上か否かを判定する（ステップＳ３３）。予測負荷変動量が設定閾値未満である場合は終了し（ステップＳ３３でＮ）、予測負荷変動量が設定閾値以上である場合は（ステップＳ３３でＹ）持替制御を実施する。持替制御を行う場合、持替量・持替時間自動入力手段２３は、予測負荷変動量及び負荷変動発生時刻を入力とし、必要となる持替量及び持替時間を計算する（ステップＳ３４）。さらに、持替量・持替時間自動入力手段２３は、持替量を持替対象発電機抽出手段１６に出力し（ステップＳ３５）、持替時間を持替制御予定出力値作成手段１８に出力する（ステップＳ３６）。
【００３６】
（効果）
本実施形態によれば、第１の実施形態による効果に加えて、持替制御の実施の有無、持替制御を実施する際の持替量及び持替時間を過去のデータに基づき自動で決定することができる。これにより、持替制御を全自動で実施し、運用者の負担をより軽減することができる。
【００３７】
［第３の実施形態］
（構成）
図９は、本発明の第３の実施形態に係る電力系統監視制御装置の構成を示すブロック図である。なお、第１の実施形態と同一の構成には同一の符号を付し、重複する説明は省略する。
【００３８】
本実施形態の電力系統監視制御装置１ｃは、第１の実施形態の電力系統監視制御装置１ａの構成要素に、さらに、第２の実施形態で設けた負荷変動予測手段２０、負荷変動履歴データ格納手段２１、持替制御実施条件設定手段２２、持替量・持替時間自動入力手段２３と、新たな持替量・持替時間入力方法切替手段２４とを設けたものである。
【００３９】
（作用）
本実施形態において、持替量・持替時間入力方法切替手段２４は、持替量及び持替時間の入力方法を手動（第１の実施形態と同様）もしくは自動（第２の実施形態と同様）から任意に選択し、選択された入力方法に従い持替量・持替時間を持替対象発電機抽出手段１６と持替制御予定出力値作成手段１８にそれぞれ出力する。以降の処理手順は、第１の実施形態で説明した処理手順と同様である。
【００４０】
（効果）
本実施形態によれば、第１、２の実施形態による効果に加えて、持替制御量の入力方法を任意に選択することができる。このため、過去の負荷データに合致しない特異な状況下における持替制御の場合においても、運転者による手動制御により対応することができる。
【００４１】
［第４の実施形態］
（構成）
図１０は、本発明の第４の実施形態に係る電力系統監視制御装置の構成を示すブロック図である。なお、第１の実施形態と同一の構成には同一の符号を付し、重複する説明は省略する。
【００４２】
本実施形態の電力系統監視制御装置１ｄは、第１の実施形態の電力系統監視制御装置１ａの抽出優先順位入力手段１２、上げ持替抽出優先順位格納手段１３、下げ持替抽出優先順位格納手段１４に代えて、最適抽出順位計算手段２５、最適上げ持替抽出優先順位格納手段２６及び最適下げ持替抽出優先順位格納手段２７を設けたものである。
【００４３】
(作用)
本実施形態において、最適抽出順位計算手段２５は、発電機データ格納手段１７、系統情報入力手段１１より取得する現在の系統情報及び持替量・持替時間入力手段１５より取得する持替量を入力とし、持替制御を実施する毎に最も経済的に持替制御を行うための持替抽出優先順位を算出・決定する。決定した持替抽出優先順位は、最適上げ持替抽出優先順位格納手段２６と最適下げ持替抽出優先順位格納手段２７にそれぞれ保持され、持替制御実施時に優先順位データを持替対象発電機抽出手段１６に入力する。以降の処理手順は、第１の実施形態で説明した処理手順と同様である。
【００４４】
（効果）
本実施形態によれば、第１の実施形態による効果に加えて、リアルタイムの系統情報、発電機情報を反映させた持替対象発電機抽出優先順位を、持替制御を実施する毎に算出することができる。これにより、状況に応じて最も経済性が高くなる持替制御を実施することが可能となる。
【００４５】
［第５の実施形態］
（構成）
図１１は、本発明の第５の実施形態に係る電力系統監視制御装置の構成を示すブロック図である。なお、第１の実施形態と同一の構成には同一の符号を付し、重複する説明は省略する。
【００４６】
本実施形態の電力系統監視制御装置１ｅは、第１の実施形態の電力系統監視制御装置１ａの構成要素に、さらに、第４の実施形態で設けた最適抽出順位計算手段２５、最適上げ持替抽出優先順位格納手段２６、最適下げ持替抽出優先順位格納手段２７と、新たな抽出優先順位切替手段２８とを設けたものである。
【００４７】
(作用)
本実施形態において、抽出優先順位切替手段２８は、持替制御の実施の際に使用する持替対象発電機の抽出優先順位を、あらかじめ登録した優先順位（第１の実施形態と同様）もしくは最適計算優先順位（第４の実施形態と同様）から任意に選択し、選択された方式に従う抽出優先順位を持替対象発電機抽出手段１６に出力する。以降の処理手順は、第１の実施形態で説明した処理手順と同様である。
【００４８】
（効果）
本実施形態によれば、第１、４の実施形態による効果に加えて、送電線作業停止などで潮流制約がある場合など、経済性を考慮して優先順位を決められない場合には、抽出優先順位切替手段２８により運転者による優先順位の手動入力によって持替制御を実施することができる。
【００４９】
[他の実施形態]
（１）第３の実施形態では第１の実施形態と第２の実施形態の何れかを選択できる構成例を示し、第５の実施形態では第１の実施形態と第４の実施形態のいずれかを選択できる構成例を示したが、さらに第３の実施形態と第５の実施形態の何れかを選択できる構成とすることもできる。
【００５０】
（２）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１ａ，１ｂ，１ｃ，１ｄ，１ｅ…電力系統監視制御装置
１１…系統情報入力手段
１２…抽出優先順位入力手段
１３…上げ持替抽出優先順位格納手段
１４…下げ持替抽出優先順位格納手段
１５…持替量・持替時間入力手段
１６…持替対象発電機抽出手段
１７…発電機データ格納手段
１８…持替制御予定出力値作成手段
１９…制御情報出力手段
２０…負荷変動予測手段
２１…負荷変動履歴データ格納手段
２２…持替制御実施条件設定手段
２３…持替量・持替時間自動入力手段
２４…持替量・持替時間入力方法切替手段
２５…最適抽出順位計算手段
２６…最適上げ持替抽出優先順位格納手段
２７…最適下げ持替抽出優先順位格納手段
２８…抽出優先順位切替手段
【図１】
2015154643.tif 000005
【図２】
2015154643.tif 000006
【図３】
2015154643.tif 000007
【図４】
2015154643.tif 000008
【図５】
2015154643.tif 000009
【図６】
2015154643.tif 000010
【図７】
2015154643.tif 000011
【図８】
2015154643.tif 000012
【図９】
2015154643.tif 000013
【図１０】
2015154643.tif 000014
【図１１】
2015154643.tif 000015